(57)【要約】【課題】電子情報機器において、操作者が使うタッチペンにより操作者を識別し、操作者の操作を操作者の役割に応じた操作に制限することができ、これにより操作者がその役割に応じた機能を使用できる使用環境を簡単に実現すること。【解決手段】タッチパネルシステムとコンピュータとを備えた電子情報機器において、タッチパネルシステムは、ペン識別子が設定されたタッチペン１０ａ、１０ｂを備え、タッチペンによるタッチ位置を、タッチしたタッチペンのペン識別子に対応付けて出力し、コンピュータ１３０は、操作者が使用するタッチペンのペン識別子と、コンピュータ１３０のオペレーティングシステムのアカウントとを関連付けるアカウント関連付部１３１ａを含み、タッチペンによる操作者の操作を、ペン識別子に関連付けられたアカウントに基づいて制限する。【選択図】図１
2014230034.tif 000002
【特許請求の範囲】
【請求項１】
操作者のタッチ操作を検出するタッチパネルシステムと、該タッチ操作に応じた処理を実行する情報処理装置とを備えた電子情報機器であって、
該タッチパネルシステムは、ペン識別子が設定された複数のタッチペンを備え、該タッチペンによるタッチ位置を該タッチしたタッチペンのペン識別子に対応付けて出力し、
該情報処理装置は、
該操作者が使用するタッチペンのペン識別子と、該情報処理装置のオペレーティングシステムのアカウントとを関連付ける関連付部を含み、該タッチペンによる操作者の操作を該ペン識別子に関連付けられたアカウントに基づいて制限する、電子情報機器。
【請求項２】
前記タッチパネルシステムは、
前記タッチ操作を行うためのタッチパネルと、
該タッチパネルを該タッチ操作が検出されるように駆動するとともに、該タッチパネル上での前記タッチペンの位置および該タッチペンのペン識別子が検出されるように、該ペン識別子に対して固有の駆動信号により該タッチペンを駆動するタッチパネルコントローラと
を含み、
該タッチパネルコントローラは、該タッチパネル上での該タッチペンの位置および該タッチペンのペン識別子を含むペンタッチ情報を前記情報処理装置に出力する、請求項１に記載の電子情報機器。
【請求項３】
前記タッチパネルシステムは、
前記タッチ操作を行うためのタッチパネルと、
該タッチパネルを該タッチ操作が検出されるように駆動するタッチパネルコントローラと
を含み、
前記タッチペンは、導電性ペン先部と、該導電性ペン先を駆動するペン内駆動部とを有し、該ペン内駆動部は、該タッチパネル上での該タッチペンの位置および該タッチペンのペン識別子が該タッチパネルコントローラにより検出されるように、該ペン識別子に対して固有の駆動信号を該導電性ペン先部に印加し、
該タッチパネルコントローラは、該タッチペンによるタッチ操作の位置および該タッチペンのペン識別子を含むペンタッチ情報を前記情報処理装置に出力する、請求項１に記載の電子情報機器。
【請求項４】
前記タッチパネルシステムは、
前記タッチ操作を行うためのタッチパネルと、
該タッチパネルを該タッチ操作が検出されるように駆動するタッチパネルコントローラとを含み、
前記タッチペンは、該タッチペンに割当てられているペン識別子を送信する識別子送信部を有し、
該情報処理装置は、
該タッチペンから送信されたペン識別子を受信する識別子受信部と、
該タッチパネルコントローラで検出された該タッチペンによるタッチ操作の位置、および受信したペン識別子を含むペンタッチ情報を生成するタッチ情報生成部と
を有する、請求項１に記載の電子情報機器。
【請求項５】
操作者によるタッチ操作を検出するタッチパネルシステムと、該タッチ操作に応じた処理を実行する情報処理装置とを備えた電子情報機器に対する操作権限を、該タッチパネルシステムで用いる複数のタッチペンの各々にオペレーティングシステムのアカウントを割当てることにより制限する方法であって、
該操作者が使用するタッチペンのペン識別子と、該情報処理装置のオペレーティングシステムのアカウントとを関連付けるステップと、
該タッチペンによる操作者の操作を、該タッチペンのペン識別子に関連付けられたアカウントに基づいて制限するステップと
を含む、電子情報機器の操作権制限方法。
【発明の詳細な説明】
【技術分野】
【０００１】
本発明は、電子情報機器およびその操作権制限方法に関し、特に、複数の操作者が同時に使用可能な大型のタッチパネルシステムを搭載した電子情報機器において、操作者が使用するタッチペン毎に操作者に対応したアカウントを割り当てることにより操作者による操作の権限を制限するようにした電子情報機器およびその操作権制限方法に関するものである。
【背景技術】
【０００２】
従来から複数の操作者が同時に使用可能な大型のタッチパネルシステムを搭載した電子情報機器として例えば電子黒板がある。電子黒板は、例えば、学校などの教育機関に導入され、例えば、操作者である講師が視聴者である生徒に分かりやすく授業を行うのに利用されている。また、電子黒板は、学校又は予備校などの教育機関に限らず、会社、イベント会場、病院などの各種施設などに導入されている。
【０００３】
例えば、特許文献１には、電子黒板として電子情報ボードシステムが開示されている。
【０００４】
図１６は、特許文献１に開示の電子情報ボードシステムを説明する図である。
【０００５】
電子情報ボードシステム４は、表示装置４０、コンピュータ装置２００、マウス３００及び電子ペン４００を備えている。
【０００６】
表示装置４０は、表示パネル部４１、タッチパネル部４２、コントローラ部４３を備えている。タッチパネル部４２は、表示パネル部４１に重ねて設けられ、そのパネル面への物理的な接触が行われた際に、接触位置を検出可能に構成されている。コントローラ部４３は表示装置４０のフレーム部に設けられている。コントローラ部４３は、電子情報ボードプログラムの機能の中から抽出された基本的な機能に対応する複数のボタンを備え、それらボタンの一部には電子情報ボードプログラムを起動する機能が付与されている。
【０００７】
コンピュータ装置２００は、制御部２１０、表示データ生成部２２０、コントローラ用ドライバ部２３０、タッチパネル用ドライバ部２４０、記憶部２５０及びマウス用ドライバ部２６０を備えている。
【０００８】
この電子情報ボードシステム４では、制御部２１０が電子情報ボードプログラムを起動する際、表示装置４０の表示パネル部４１に対する操作により起動が要求された場合、制御部２１０は第１モードでプログラムが起動する。この場合、コンピュータになれたユーザ向けの第１起動画面が表示される。第１起動画面はツールバーを含んでいる。
【０００９】
一方、表示装置４０のフレーム部のコントローラ部４３に対する操作により電子情報ボードプログラムの起動が要求された場合には、制御部２１０は第２起動モードでプログラムを起動する。この場合、コンピュータに不慣れなユーザ向けの第２起動画面が表示される。第２起動画面はツールバーが隠されている。
【００１０】
このように特許文献１に開示の電子情報ボードシステムでは、コンピュータに不慣れなユーザには、画面上でのタッチ操作ではなく、フレーム部に設けられているコントローラ部のボタン操作を前提とした画面表示が行われるようにしている。これにより幅広いユーザの利用を可能とする操作性を実現している。
【先行技術文献】
【特許文献】
【００１１】
【特許文献１】特開２００６−３３１２６３号公報
【発明の概要】
【発明が解決しようとする課題】
【００１２】
ところで、電子黒板などの大型のタッチパネルシステムでは、一度に複数人が一つのタッチパネルシステムを使用する機会が出てきている。このようなタッチパネルシステムは、１つの画面をペンタッチや指タッチで操作可能であり、ペンタッチに用いる複数のタッチペンによる操作の権限はお互いに同等のものとなっている。
【００１３】
例えば、学校などでは先生と生徒とが電子黒板を共用する場合がある。このように全然立場の違う人が同時に同じ画面を使う場合、複数のタッチペンによる操作の権限が同等であると、生徒が触っては困るというファイルを生徒が先生と同様に開くといったことができてしまう。
【００１４】
また、電子黒板を既存のコンピュータＯＳシステムを用いてネットワークシステムに接続したとき、生徒が触っては困るというサイトを生徒が先生と同様に利用できてしまう。
【００１５】
本発明は、上記のような問題点を解決するためになされたものであり、役割の異なる複数の操作者が１つのタッチパネルを操作するとき、操作者が使うタッチペンのペン識別子により、操作者の操作を操作者の役割に応じた操作に制限することができ、これにより操作者がその役割に応じた機能を使用できる使用環境を簡単に実現することができる電子情報機器およびその操作権制限方法を得ることを目的とする。
【課題を解決するための手段】
【００１６】
本発明に係る電子情報機器は、操作者のタッチ操作を検出するタッチパネルシステムと、該タッチ操作に応じた処理を実行する情報処理装置とを備えた電子情報機器であって、該タッチパネルシステムは、ペン識別子が設定された複数のタッチペンを備え、該タッチペンによるタッチ位置を該タッチしたタッチペンのペン識別子に対応付けて出力し、該情報処理装置は、該操作者が使用するタッチペンのペン識別子と、該情報処理装置のオペレーティングシステムのアカウントとを関連付ける関連付部を含み、該タッチペンによる操作者の操作を該ペン識別子に関連付けられたアカウントに基づいて制限するものであり、そのことにより上記目的が達成される。
【００１７】
本発明は、上記電子情報機器において、前記タッチパネルシステムは、前記タッチ操作を行うためのタッチパネルと、該タッチパネルを該タッチ操作が検出されるように駆動するとともに、該タッチパネル上での前記タッチペンの位置および該タッチペンのペン識別子が検出されるように、該ペン識別子に対して固有の駆動信号により該タッチペンを駆動するタッチパネルコントローラとを含み、該タッチパネルコントローラは、該タッチパネル上での該タッチペンの位置および該タッチペンのペン識別子を含むペンタッチ情報を前記情報処理装置に出力することが好ましい。
【００１８】
本発明は、上記電子情報機器において、前記タッチパネルシステムは、前記タッチ操作を行うためのタッチパネルと、該タッチパネルを該タッチ操作が検出されるように駆動するタッチパネルコントローラとを含み、前記タッチペンは、導電性ペン先部と、該導電性ペン先を駆動するペン内駆動部とを有し、該ペン内駆動部は、該タッチパネル上での該タッチペンの位置および該タッチペンのペン識別子が該タッチパネルコントローラにより検出されるように、該ペン識別子に対して固有の駆動信号を該導電性ペン先部に印加し、該タッチパネルコントローラは、該タッチペンによるタッチ操作の位置および該タッチペンのペン識別子を含むペンタッチ情報を前記情報処理装置に出力することが好ましい。
【００１９】
本発明は、上記電子情報機器において、前記タッチパネルシステムは、前記タッチ操作を行うためのタッチパネルと、該タッチパネルを該タッチ操作が検出されるように駆動するタッチパネルコントローラとを含み、前記タッチペンは、該タッチペンに割当てられているペン識別子を送信する識別子送信部を有し、該情報処理装置は、該タッチペンから送信されたペン識別子を受信する識別子受信部と、該タッチパネルコントローラで検出された該タッチペンによるタッチ操作の位置、および受信したペン識別子を含むペンタッチ情報を生成するタッチ情報生成部とを有することが好ましい。
【００２０】
本発明は、上記電子情報機器において、前記情報処理装置は、前記ペンタッチ情報に前記タッチ位置とともに含まれる前記ペン識別子を、該ペン識別子に関連付けられたアカウントに置き換える情報変換部を有し、該タッチペンによる操作を、該タッチペンのペン識別子と置き換えたアカウントに基づいて制限することが好ましい。
【００２１】
本発明に係る電子情報機器の操作権制限方法は、操作者によるタッチ操作を検出するタッチパネルシステムと、該タッチ操作に応じた処理を実行する情報処理装置とを備えた電子情報機器に対する操作権限を、該タッチパネルシステムで用いる複数のタッチペンの各々にオペレーティングシステムのアカウントを割当てることにより制限する方法であって、該操作者が使用するタッチペンのペン識別子と、該情報処理装置のオペレーティングシステムのアカウントとを関連付けるステップと、該タッチペンによる操作者の操作を、該タッチペンのペン識別子に関連付けられたアカウントに基づいて制限するステップとを含むものであり、そのことにより上記目的が達成される。
【発明の効果】
【００２２】
以上のように、本発明によれば、役割の異なる複数の操作者が１つのタッチパネルを操作するとき、操作者が使うタッチペンのペン識別子により、操作者の操作を操作者の役割に応じた操作に制限することができ、これにより操作者がその役割に応じた機能を使用できる使用環境を簡単に実現することができる電子情報機器およびその操作権制限方法を実現することができる。
【図面の簡単な説明】
【００２３】
【図１】図１は、本発明の実施形態１による電子情報機器を説明する図であり、図１（ａ）は、電子情報機器の外観を示し、図１（ｂ）は、電子情報機器の全体構成を示している。
【図２】図２は、本発明の実施形態１による電子情報機器を説明する図であり、電子情報機器を構成するタッチパネルシステムの具体的な構成を示している。
【図３】図３は、本発明の実施形態１による電子情報機器を説明する図であり、電子情報機器のタッチパネルシステムを構成するタッチパネルの具体的な構成を示している。
【図４】図４は、本発明の実施形態１による電子情報機器を説明する図であり、電子情報機器のタッチパネルシステムで用いる第１のスタイラスペンの構成（図４（ａ）、図４（ｂ））、および第２のスタイラスペンの構成（図４（ｃ）、図４（ｄ））を示している。
【図５】図５は、本発明の実施形態１による電子情報機器を説明する図であり、電子情報機器を構成するコンピュータの具体的な構成を示している。
【図６】図６は、本発明の実施形態１による電子情報機器を説明する図であり、図６（ａ）は電子情報機器のログイン画面を示し、図６（ｂ）はペンＩＤとアカウントとを関連付けるテーブルを示している。
【図７】図７は、本発明の実施形態１による電子情報機器の動作を説明する図であり、電子情報機器で操作者が使用するスタイラスペンのペンＩＤと、操作者に割当てられているアカウントとを関連付ける処理をフローチャートで示している。
【図８】図８は、本発明の実施形態１による電子情報機器の動作を説明する図であり、図８（ａ）は、タッチパネルコントローラからのタッチ情報に含まれるペンＩＤをアカウント情報に差し替える処理をフローチャートで示し、図８（ｂ）は、タッチ情報のペンＩＤをアカウント情報に置き換える処理を概念的に示している。
【図９】図９は、本発明の実施形態１による電子情報機器の動作を説明する図であり、電子情報機器で使用するスタイラスペンのペンＩＤに対応するアカウント情報に基づいて操作内容を制限する処理をフローチャートで示している。
【図１０】図１０は、本発明の実施形態２による電子情報機器を説明する図であり、図１０（ａ）は、電子情報機器の外観を示し、図１０（ｂ）は、電子情報機器の全体構成を示している。
【図１１】図１１は、本発明の実施形態２による電子情報機器を説明する図であり、電子情報機器のタッチパネルシステムで用いる第１のスタイラスペンの構成（図１１（ａ））、および第２のスタイラスペンの構成（図１１（ｂ））を示している。
【図１２】図１２は、本発明の実施形態２による電子情報機器を説明する図であり、スタイラスペンの動作とタッチパネルの動作とを同期させる方法を説明する図であり、タイミング波形を示している。
【図１３】図１３は、本発明の実施形態３による電子情報機器を説明する図であり、図１３（ａ）は、電子情報機器の外観を示し、図１３（ｂ）は、電子情報機器の全体構成を示している。
【図１４】図１４は、本発明の実施形態３による電子情報機器を説明する図であり、電子情報機器のタッチパネルシステムで用いる第１のスタイラスペンの構成（図１４（ａ））、および第２のスタイラスペンの構成（図１４（ｂ））を示している。
【図１５】図１５は、本発明の実施形態４として、実施形態１から実施形態３の電子黒板におけるタッチパネルシステムを入力操作部に用いた、電子黒板以外の電子情報機器の概略構成例を示すブロック図である。
【図１６】図１６は、特許文献１に開示の電子情報ボードシステムを説明する図である。
【発明を実施するための形態】
【００２４】
以下、本発明の実施形態について図面を参照しながら説明する。
【００２５】
（実施形態１）
図１は、本発明の実施形態１による電子情報機器を説明する図であり、図１（ａ）は、電子情報機器の外観を示し、図１（ｂ）は、電子情報機器の全体構成を示している。
【００２６】
この電子情報機器１００は、電子黒板本体１０１と、電子黒板本体１０１を支持する電子黒板脚部１０２とを有する電子黒板である。電子黒板本体１０１は、操作者による情報入力を行うためのタッチパネルシステム１１０と、情報を表示する表示システム１２０とを含んでいる。電子情報機器１００は、タッチパネルシステム１１０および表示システム１２０に接続された情報処理装置１３０を有する。なお、図１（ａ）中、１０１ａは、スタイラスペン１０ａ、１０ｂを格納するためのペンホルダである。
【００２７】
ここで、情報処理装置１３０は、タッチパネルシステム１１０にて入力された情報に基づいて種々の演算処理を実行するパーソナルコンピュータ（以下、単にコンピュータという。）であり、その中央演算処理装置（ＣＰＵ）１３０ａには、オペレーティングシステム（ＯＳ）を実行するＯＳ実行部１３１と、アプリケーションプログラムを実行するアプリケーション実行部１３２とが構築される。表示システム１２０は、画像表示を行う液晶パネルなどの表示パネル１２０ａと、表示パネル１２０ａにて表示信号に基づいて画像表示が行われるように表示パネル１２０ａを制御する表示コントローラ１２０ｂとを有する。
【００２８】
〔タッチパネルシステム１１０〕
まず、タッチパネルシステム１１０について詳述する。
【００２９】
タッチパネルシステム１１０は、操作者のタッチ操作により情報を入力するための静電容量方式のタッチパネル１１０ａと、タッチパネル１１０ａを制御するタッチパネルコントローラ１１０ｂと、情報を入力するための第１および第２のタッチペン（以下、スタイラスペンという。）１０ａおよび１０ｂとを有する。
【００３０】
（タッチパネル）
図２および図３は、本発明の実施形態１による電子情報機器を説明する図であり、図２は、電子情報機器を構成するタッチパネルシステムの具体的な構成を示し、図３は、タッチパネルシステムを構成するタッチパネルの具体的な構成を示している。
【００３１】
タッチパネル１１０ａは、垂直方向に沿って互いに平行に配置された複数本の垂直信号線ＶＬｊ（ｊ：１〜Ｍ）（つまり、信号線ＶＬ１〜ＶＬＭ）と、水平方向に沿って互いに平行に配置された複数本の水平信号線ＨＬｆ（ｆ：１〜Ｍ）（つまり、信号線ＨＬ１〜ＨＬＭ）とを有する。水平信号線ＨＬ１〜ＨＬＭと垂直信号線ＶＬ１〜ＶＬＭとの交点にはそれぞれ静電容量Ｃ１１〜ＣＭＭが形成されている。なお、ここでは、説明を簡単にするため、水平信号線ＨＬ１〜ＨＬＭの本数は、垂直信号線ＶＬ１〜ＶＬＭの本数と同一としているが、水平信号線の本数は垂直信号線の本数と異なっていてもよい。
【００３２】
（タッチパネルコントローラ）
タッチパネルコントローラ１１０ｂは、タッチパネル１１０ａの垂直信号線および水平信号線を駆動するドライバ１１５と、タッチパネル１１０ａの垂直信号線および水平信号線からの信号を検出するセンスアンプ１１６と、ドライバ１１５の出力ライン（以下、ドライブラインという。）ＤＬｇ（ｇ：１〜Ｍ）およびセンスアンプ１１６の入力ライン（以下、センスラインという。）ＳＬｋ（ｋ：１〜Ｍ）と、水平信号線ＨＬ１〜ＨＬＭおよび垂直信号線ＶＬ１〜ＶＬＭとの接続を切り替えるマルチプレクサ１１４と、センスアンプ１１６の出力信号をＡＤ変換するＡＤ変換器１１８とを備えている。タッチパネルコントローラ１１０ｂは、ＡＤ変換器１１８の出力に基づいてタッチパネル１１０ａでの静電容量の分布を計算する容量分布計算部１１９と、容量分布計算部１１９の出力に基づいてタッチペン１０ａおよび１０ｂの位置を検出するペン位置検出部１１３ｂと、容量分布計算部１１９の出力に基づいて各タッチペンによるタッチ位置を検出するタッチ認識部１１３ａとを有する。
【００３３】
ここで、ドライバ１１５は、長さＮの（Ｍ＋２）個の符号系列のうちのＭ個の符号系列に基づいて、ドライブラインＤＬｇ（ｇ：１〜Ｍ）（つまり、ＤＬ１〜ＤＬＭ）に駆動電圧（駆動信号）を印加するとともに、（Ｍ＋２）個の符号系列のうちの残りの２個の符号系列に基づいて、有線接続した第１および第２のスタイラスペン１０ａおよび１０ｂに駆動電圧（駆動信号）を印加する。ここで、（Ｍ＋２）個の符号系列の各符号系列は、Ｎ個の〔０〕、〔１〕の配列からなる。
【００３４】
センスアンプ１１６は、第１駆動行程において、各静電容量Ｃ１１〜ＣＭＭに対応する電荷と、第１のスタイラスペン１０ａとＭ本の垂直信号線ＶＬ１〜ＶＬＭのそれぞれとの間の静電容量に対応する電荷と、第２のスタイラスペン１０ｂとＭ本の垂直信号線ＶＬ１〜ＶＬＭのそれぞれとの間の静電容量に対応する電荷とに対応する線形和信号を、センスラインＳＬｋ（ｋ：１〜Ｍ）（つまり、ＳＬ１〜ＳＬＭ）を通して読み出して、ＡＤ変換器１１８に供給する。
【００３５】
センスアンプ１１６は、第２駆動行程において、各静電容量Ｃ１１〜ＣＭＭに対応する電荷と、第１のスタイラスペン１０ａとＭ本の水平信号線ＨＬ１〜ＨＬＭのそれぞれとの間の静電容量に対応する電荷と、第２のスタイラスペン１０ｂとＭ本の水平信号線ＨＬ１〜ＨＬＭのそれぞれとの間の静電容量に対応する電荷とに対応する線形和信号を、センスラインＳＬ１〜ＳＬＭを通して読み出して、ＡＤ変換器１１８に供給する。
【００３６】
マルチプレクサ１１４は、水平信号線ＨＬ１〜ＨＬＭをドライバ１１５のドライブラインＤＬ１〜ＤＬＭに接続し、垂直信号線ＶＬ１〜ＶＬＭをセンスアンプ１１６のセンスラインＳＬ１〜ＳＬＭに接続する第１接続状態と、水平信号線ＨＬ１〜ＨＬＭをセンスアンプ１１６のセンスラインＳＬ１〜ＳＬＭに接続し、垂直信号線ＶＬ１〜ＶＬＭをドライバ１１５のドライブラインＤＬ１〜ＤＬＭに接続する第２接続状態とを切替える。
【００３７】
マルチプレクサ１１４では、第１接続状態と第２接続状態との切替はタイミングジェネレータ１１７からの制御信号ＣＬに基づいて行われる。つまり、制御信号ＣＬがＬｏｗレベルになると、水平信号線ＨＬ１〜ＨＬＭは、ドライブラインＤＬ１〜ＤＬＭにつながり、垂直信号線ＶＬ１〜ＶＬＭは、センスラインＳＬ１〜ＳＬＭにつながる。制御信号ＣＬがＨｉｇｈレベルになると、水平信号線ＨＬ１〜ＨＬＭは、センスラインＳＬ１〜ＳＬＭにつながり、垂直信号線ＶＬ１〜ＶＬＭは、ドライブラインＤＬ１〜ＤＬＭにつながる。
【００３８】
ＡＤ変換器１１８は、第１駆動行程において、垂直信号線ＶＬ１〜ＶＬＭ、センスラインＳＬ１〜ＳＬＭを通して読み出される各静電容量Ｃ１１〜ＣＭＭに対応する電荷と、スタイラスペン１０ａとＭ本の信号線ＶＬ１〜ＶＬＭのそれぞれとの間の静電容量に対応する電荷（第１ペン信号）と、スタイラスペン１０ｂとＭ本の信号線ＶＬ１〜ＶＬＭのそれぞれとの間の静電容量に対応する電荷（第１ペン信号）とに対応する線形和信号をＡＤ変換して容量分布計算部１１９に供給する。
【００３９】
ＡＤ変換器１１８は、第２駆動行程において、水平信号線ＨＬ１〜ＨＬＭ、センスラインＳＬ１〜ＳＬＭを通して読み出される各静電容量Ｃ１１〜ＣＭＭに対応する電荷と、スタイラスペン１０ａとＭ本の信号線ＨＬ１〜ＨＬＭのそれぞれとの間の静電容量に対応する電荷（第２ペン信号）と、スタイラスペン１０ｂとＭ本の信号線ＨＬ１〜ＨＬＭのそれぞれとの間の静電容量に対応する電荷（第２ペン信号）とに対応する線形和信号をＡＤ変換して容量分布計算部１１９に供給する。
【００４０】
容量分布計算部１１９は、第１ペン信号、及び第２ペン信号を含む線形和信号と、長さｎの（Ｍ＋２）個の符号系列とに基づいて、タッチパネル１１０ａ上の静電容量分布、及び、スタイラスペン１０ａ、１０ｂとＭ本の信号線ＶＬ１〜ＶＬＭのそれぞれとの間の静電容量の分布、及び、スタイラスペン１０ａ、１０ｂとＭ本の信号線ＨＬ１〜ＨＬＭのそれぞれとの間の静電容量の分布を計算して、タッチパネル１１０ａ上の静電容量分布をタッチ認識部１１３ａに供給すると共に、スタイラスペン１０ａ、１０ｂとＭ本の信号線ＶＬ１〜ＶＬＭのそれぞれとの間の静電容量の分布、及び、スタイラスペン１０ａ、１０ｂとＭ本の信号線ＨＬ１〜ＨＬＭのそれぞれとの間の静電容量の分布をペン位置検出部１１３ｂに供給する。タッチ認識部１１３ａは、容量分布計算部１１９から供給された静電容量分布に基づいて、タッチパネル１１０ａ上のタッチされた位置を認識する。
【００４１】
ペン位置検出部１１３ｂは、スタイラスペン１０ａ、１０ｂとＭ本の垂直信号線ＶＬ１〜ＶＬＭのそれぞれとの間の静電容量の分布に基づいて、スタイラスペン１０ａ、１０ｂの水平信号線ＨＬ１に沿った位置（タッチパネル１１０ａ上での水平方向における位置）を検出する。また、ペン位置検出部１１３ｂは、スタイラスペン１０ａ、１０ｂとＭ本の水平信号線ＨＬ１〜ＨＬＭのそれぞれとの間の静電容量の分布に基づいて、スタイラスペン１０ａ、１０ｂの垂直信号線ＶＬ１に沿った位置（タッチパネル１１０ａ上での垂直方向における位置）を検出する。
【００４２】
タイミングジェネレータ１１７は、ドライバ１１５の動作を規定する信号と、センスアンプ１１６の動作を規定する信号と、ＡＤ変換器１１８の動作を規定する信号とを生成して、ドライバ１１５、センスアンプ１１６、及びＡＤ変換器１１８に供給する。
【００４３】
（スタイラスペン）
図４は、本発明の実施形態１による電子情報機器を説明する図であり、電子情報機器のタッチパネルシステムを構成する第１のスタイラスペンの具体的な構成（図４（ａ）、図４（ｂ））、第２のスタイラスペンの具体的な構成（図４（ｃ）、図４（ｄ））を示している。
【００４４】
例えば、第１および第２のスタイラスペン１０ａおよび１０ｂはそれぞれ、個々のスタイラスペンを識別するためのペンＩＤを出力するペンＩＤ出力部１１および１２を有する。
【００４５】
具体的には、第１のスタイラスペン１０ａのペンＩＤ出力部１１は、信号端子１１ａと、接続配線１１ｂと、導電性ペン先部１１ｃとを有する。ここで、信号端子１１ａは、タッチパネルコントローラ１１０ｂのドライバ１１５が出力する駆動電圧（駆動信号）Ｄｓ１が印加される端子である。接続配線１１ｂは、信号端子１１ａと導電性ペン先部１１ｃとを接続する配線である。駆動電圧Ｄｓ１は、（Ｍ＋２）個の符号系列のうちの残りの２個の符号系列の１つに基づいてドライバ１１５が出力する電圧である。つまり、残りの２個の符号系列の１つの符号系列における複数の符号のパターンが第１のスタイラスペン１０ａを識別するペンＩＤに対応付けられている。
【００４６】
また、第２のスタイラスペン１０ｂのペンＩＤ出力部１２は、信号端子１２ａと、接続配線１２ｂと、導電性ペン先部１２ｃとを有する。ここで、信号端子１２ａは、タッチパネルコントローラ１１０ｂのドライバ１１５が出力する駆動電圧（駆動信号）Ｄｓ２が印加される信号端子である。接続配線１２ｂは、信号端子１２ａと導電性ペン先部１２ｃとを接続する配線である。駆動電圧Ｄｓ２は、（Ｍ＋２）個の符号系列のうちの残りの２個の符号系列のもう１つに基づいて出力する電圧である。つまり、残りの２個の符号系列のもう１つの符号系列における複数の符号のパターンが第２のスタイラスペン１０ｂを識別するペンＩＤに対応付けられている。
【００４７】
従って、ペン位置検出部１１３ｂは、スタイラスペン１０ａ、１０ｂの水平方向の位置（Ｘ座標）および垂直方向の位置（Ｙ座標）とともに、それぞれの位置のスタイラスペンに印加されている駆動電圧のパターンから各スタイラスペンのペンＩＤを検出し、スタイラスペンの位置とペンＩＤとを関連付けてペンタッチ情報としてコンピュータ１３０に出力する。
【００４８】
なお、スタイラスペン１０ａおよび１０ｂにボタンスイッチなどの機能を搭載した場合は、このボタンスイッチに対応する追加の符号系列を設け、追加の符号系列に応じてドライバ１１５が出力する駆動電圧をスタイラスペン１０ａおよび１０ｂに供給する。そして、ボタンスイッチの操作に応じて、スタイラスペン１０ａおよび１０ｂにて、追加の符号系列に応じた駆動電圧を導電性ペン先部に印加したり、遮断したりするようにする。これにより、スタイラスペン１０ａおよび１０ｂでのボタンスイッチの操作に対応した処理をコンピュータ１３０で実行可能となる。
【００４９】
〔コンピュータ１３０〕
次に、コンピュータ１３０について詳述する。
【００５０】
図５は、本発明の実施形態１による電子情報機器を説明する図であり、電子情報機器を構成するコンピュータの具体的な構成を示している。
【００５１】
コンピュータ１３０のオペレーティングシステム（ＯＳ）は、ペンタッチ情報に基づいて、それぞれのスタイラスペン１０ａ、１０ｂのペンＩＤを、スタイラスペン１０ａ、１０ｂを使用する操作者のアカウントに関連付け、それぞれのスタイラスペンによる操作をその操作者のアカウントに応じた操作に制限するように構成されている。
【００５２】
つまり、ＣＰＵ１３０ａがオペレーティングシステムを実行することにより構築されるＯＳ実行部１３１は、操作者が使用するスタイラスペンのペンＩＤを、操作者のアカウントに関連付け、ペンＩＤと操作者のアカウントとの対応関係を示す関連付けテーブルＴｒｅを作成するアカウント関連付部１３１ａと、関連付けテーブルＴｒｅに基づいて、ペンタッチ情報におけるペンＩＤを、対応するアカウントに差し替えるペンＩＤ／アカウント変換部１３１ｂとを有する。
【００５３】
また、ＣＰＵ１３０ａがアプリケーションプログラムを実行することにより構築されるアプリケーション実行部１３２は、ペンタッチ情報に含まれるタッチ位置情報に応じたイベントの処理を、ペンタッチ情報に含まれるペンＩＤとイベントに対して予め設定されているアカウント情報とに基づいて制限する操作制限部１３２ａを有する。つまり、アプリケーション実行部１３２は、ペンタッチ情報に含まれるペンＩＤに対応するアカウントが、イベントに予め設定されているアカウント情報より高い権限を有するものであるか否かに応じて、イベントの処理を制限する。
【００５４】
アカウント関連付部１３１ａは、電子情報機器１００の起動時に、ペンＩＤと操作者のアカウントとの関連付けを行うログイン画面を表示する。
【００５５】
図６は、本発明の実施形態１による電子情報機器を説明する図であり、図６（ａ）は電子情報機器のログイン画面を示し、図６（ｂ）はペンＩＤとアカウントとを関連付けるテーブルを示している。
【００５６】
ログイン画面Ｓｃには、ＩＤ入力領域Ｂｘ１、パスワード入力領域Ｂｘ２、ログインボタンＢｔ１、キャンセルボタンＢｔ２、およびペンタッチ領域Ｄｒを含んでいる。
【００５７】
ＩＤ入力領域Ｂｘ１は、操作者がキー操作によりユーザＩＤを入力するための領域である。パスワード入力領域Ｂｘ２は、操作者がキー操作によりユーザパスワードを入力するための領域である。ペンタッチ領域Ｄｒは、操作説明の表示を含み、操作説明に従って、操作者が使用するスタイラスペンでタッチする領域である。なお、キー操作は、表示パネルに表示された仮想キーボードを用いても、あるいはコンピュータ１３０の周辺機器としてのキーボードを用いてもよい。
【００５８】
ＯＳ実行部１３１は、ペンタッチ領域Ｄｒにスタイラスペンをタッチしたか否かにかかわらず、ユーザＩＤとユーザパスワードが入力され、ログインボタンＢｔ１がタッチ操作されると、電子情報機器１００を操作者のタッチペンによる操作が可能な状態とする。
【００５９】
例えば、ペンタッチ領域ＤｒにタッチしたスタイラスペンのペンＩＤが〔１〕であり、ユーザＩＤとユーザパスワードにより特定されるユーザアカウントがｕｓｅｒ＿Ａである場合は、アカウント関連付部１３１ａは、ペンＩＤ〔１〕がアカウント情報〔ｕｓｅｒ＿Ａ〕に対応付けられる。このとき、スタイラスペンのペンＩＤが〔１〕であることは、タッチパネルコントローラ１１０ｂのペン位置検出部１１３ｂからのペンタッチ情報に含まれるペンＩＤに基づいてＯＳ実行部１３１により判定される。
【００６０】
このようなペンＩＤとアカウント情報との関連付けは、電子情報機器１００の起動時以外にも、新たなスタイラスペンを使用する時（例えば、新たなスタイラスペンを電子情報機器の起動後に初めてタッチ操作したとき）には予め行われ、操作者が使用するスタイラスペンのペンＩＤと操作者のアカウント情報との関連付けが行われる。
【００６１】
なお、図６（ｂ）に示す関連付けテーブルＴｒｅでは、説明の都合上、４つのスタイラスペンのペンＩＤとアカウント情報との関連付けを示しているが、上記のように２本のスタイラスペンしか使用しない場合は、関連付けテーブルＴｒｅは、第１のスタイラスペン１０ａのペンＩＤとアカウント情報との関連付け、および第２のスタイラスペン１０ｂのペンＩＤとアカウント情報との関連付けのみを含むことは言うまでもない。
【００６２】
また、ログイン時にペンタッチ領域ＤｒにタッチしていないスタイラスペンのペンＩＤは、最も低い操作権限である〔Ｇｕｅｓｔ〕に関連付けられる。また、先生と生徒が電子黒板を用いる場合の先生のように最も高い操作権限は管理者権限〔Ａｄｍｉｎｉｓｔｒａｔｏｒ〕であり、先生がスタイラスペンをペンタッチ領域Ｄｒにタッチしてログインした場合は、先生が使用するスタイラスペンのペンＩＤは管理者権限〔Ａｄｍｉｎｉｓｔｒａｔｏｒ〕に関連付けられる。
【００６３】
次に、動作について説明する。
【００６４】
この実施形態１の電子情報機器１００では、コンピュータ１３０、タッチパネルシステム１１０および表示システム１２０に電源が投入されると、タッチパネルシステム１１０では、タッチパネル１１０ａに対するタッチ操作が検出されるようにタッチパネルがタッチパネルコントローラ１１０ｂにより駆動され、表示パネル１２０ａはコンピュータ１３０からの表示信号に基づいて画像表示が行われるよう表示コントローラ１２０ｂにより駆動される。
【００６５】
この実施形態１の電子情報機器１００では、操作者のペンタッチによる操作には、２つのスタイラスペン１０ａおよび１０ｂが利用可能となっている。それぞれスタイラスペン１０ａおよび１０ｂは、予めペンＩＤが設定されている。第１のスタイラスペン１０ａは、図４（ａ）に示すように、ペンＩＤ出力部１１により第１のスタイラスペン１０ａを特定する第１のペンＩＤを出力する。第２のスタイラスペン１０ｂは、図４（ｃ）に示すように、ペンＩＤ出力部１２により第２のスタイラスペン１０ｂを特定する第２のペンＩＤを出力する。
【００６６】
具体的には、第１のスタイラスペン１０ａの信号端子１１ａには、長さＮの（Ｍ＋２）個の符号系列のうちの（Ｍ＋１）番目の符号系列に基づいて駆動電圧が印加され、第２のスタイラスペン１０ｂの信号端子１２ａには、長さＮの（Ｍ＋２）個の符号系列のうちの（Ｍ＋２）番目の符号系列に基づいて駆動電圧が印加される。ここで、（Ｍ＋２）個の符号系列の各符号系列は、Ｎ個の符号から構成されており、それぞれの符号系列の符号の配列（つまり、〔０〕および〔１〕の配列）は独立している。例えば、スタイラスペン１０ａの信号端子１１ａに印加された駆動電圧Ｄｓ１は、接続配線１１ｂを介して導電性ペン先部１１ｃの電位を変動させる。スタイラスペン１０ｂの信号端子１１ｂに印加された駆動電圧Ｄｓ２は、接続配線１２ｂを介して導電性ペン先部１２ｃの電位を変動させる。この電位変動は、各スタイラスペン独自のものとなり、タッチパネルコントローラ１１０ｂが、タッチ操作に用いたスタイラスペンを識別可能となっている。このように、この実施形態１のタッチパネルシステム１１０では、各スタイラスペンに印加する駆動電圧の変動パターンにより、各スタイラスペンに対するペンＩＤを設定している。そして、タッチパネルコントローラ１１０ｂは、判別したスタイラスペンのペンＩＤとタッチ位置とを含むペンタッチ情報をコンピュータ１３０に出力する。
【００６７】
電源の投入によりコンピュータ１３０が起動すると、表示コントローラ１２０ｂは、コンピュータ１３０からの指令により、表示パネル１２０ａにログイン画面Ｓｃ（図６（ａ）参照）が表示されるように表示パネル１２０ａを制御する。
【００６８】
このログイン画面Ｓｃに対して操作者は、使用するスタイラスペン、例えばスタイラスペン１０ａでペンタッチ領域Ｄｒにタッチする。また、操作者がキー操作によりユーザＩＤおよびユーザパスワードをＩＤ入力領域Ｂｘ１およびパスワード入力領域Ｂｘ２にそれぞれ入力する。その後、ログインボタンＢｔ１の操作によりログインする。なお、このログイン画面Ｓｃは、操作者が新たなスタイラスペンを利用するときに、操作者による特定の操作、あるいは起動後の最初のタッチ操作により表示するようにしてもよい。
【００６９】
コンピュータ１３０は、操作者によるログインが行われると、アカウント関連付部１３１ａにより、操作者が使用するスタイラスペンのペンＩＤと、ログインしたアカウント情報とを関連付ける。
【００７０】
図７は、スタイラスペンのペンＩＤと、操作者に割当てられているアカウントとを関連付ける処理をフローチャートで示している。
【００７１】
詳しく説明すると、アカウント関連付部１３１ａは、タッチパネルコントローラ１１０ｂから出力されたペンタッチ情報に基づいて、ペンタッチ情報に含まれるペンＩＤをアカウント関連付部１３１ａの記憶部（図示せず）に格納する（ステップＳ１１）。アカウント関連付部１３１ａは、操作者により電子情報機器に対するログインが行われたか否かを判定する（ステップＳ１２）。アカウント関連付部１３１ａは、ログインが行われていない場合は、ステップＳ１１の処理の戻り、ログインが行われている場合は、格納されたペンＩＤがあるか否かの判定を行う（ステップＳ１３）。
【００７２】
スタイラスペン１０ａはログイン画面でペンタッチ領域にタッチしたスタイラスペンであるので、スタイラスペン１０ａのペンＩＤは、タッチパネルコントローラ１１０ｂからコンピュータ１３０に送信されており、従って、アカウント関連付部１３１ａのメモリに格納されている。このため、アカウント関連付部１３１ａは、記憶されたペンＩＤがあると判定し、ペンＩＤと、ログインしたアカウント情報とを関連付ける（ステップＳ１４）。
【００７３】
一方、スタイラスペン１０ａがログイン画面でペンタッチ領域にタッチしたスタイラスペンではなく、スタイラスペン１０ａのペンＩＤが、タッチパネルコントローラ１１０ｂからコンピュータ１３０に送信されていない場合は、アカウント関連付部１３１ａのメモリに格納されていない。このような場合は、スタイラスペン１０ａのペンＩＤは、操作者のアカウントに関連付けられない（ステップＳ１５）。
【００７４】
このようにして、アカウント関連付部１３１ａは、図６（ｂ）に示すような関連付けテーブルＴｒｅを作成する。上記説明では使用可能なスタイラスペンは２本である場合を挙げているが、ここでは説明の都合上、使用可能なスタイラスペンは４本であるとする。
【００７５】
この場合、操作者は、例えば、先生、生徒、生徒の保護者、その他の者を想定している。例えば、ペンＩＤ〔４〕のスタイラスペンを用いて先生がログインした場合、ペンＩＤ〔４〕には、アカウント情報として管理者権限（Ａｄｍｉｎｉｓｔｒａｔｏｒ）が関連付けられる。ペンＩＤ〔２〕のスタイラスペンを用いて生徒がログインした場合、ペンＩＤ〔２〕には、アカウント情報として生徒の権限（ｕｓｅｒ＿Ｂ）が関連付けられる。ペンＩＤ〔１〕のスタイラスペンを用いて生徒の保護者がログインした場合、ペンＩＤ〔１〕には、アカウント情報として生徒の保護者の権限（ｕｓｅｒ＿Ａ）が関連付けられる。ペンＩＤ〔３〕のスタイラスペンを用いて、その他のものがログインした場合、ペンＩＤ〔３〕には、アカウント情報としてその他のものの権限（Ｇｕｅｓｔ）が関連付けられる。さらに、ログインの際に、ペンタッチ領域にタッチしなかった場合は、アカウント関連付部１３１ａの記憶部にペンＩＤが格納されることはないので、関連付けテーブルには含まれない。その結果、このようなスタイラスペンのペンＩＤは、先生が用いた場合でも、このスタイラスペンによるタッチ操作では、ペンＩＤ／アカウント変換部１３１ｂにより最も低い権限の低いアカウント（Ｇｕｅｓｔ）に差し替えられる。
【００７６】
次に、ペンＩＤ／アカウント変換部１３１ｂがペンタッチ情報に含まれるペンＩＤをアカウントに差し替える処理について説明する。
【００７７】
図８（ａ）は、タッチパネルコントローラからのペンタッチ情報に含まれるペンＩＤをアカウント情報に差し替える処理をフローチャートで示し、図８（ｂ）は、ペンタッチ情報のペンＩＤをアカウント情報に置き換える処理を概念的に示している。
【００７８】
認証動作が完了した後、ＯＳ実行部１３１がタッチパネルコントローラ１１０ｂからペンＩＤおよびタッチ位置を含むペンタッチ情報（パケット）Ｄｔｐを受けると、ＯＳ実行部１３１のペンＩＤ／アカウント変換部１３１ｂは、受け取ったペンタッチ情報Ｄｔｐに含まれるペンＩＤを使って関連付けテーブルＴｒｅ（図６（ｂ）参照）の中をサーチする（ステップＳ２１）。ペンＩＤ／アカウント変換部１３１ｂは、受け取ったペンタッチ情報に含まれるペンＩＤと同じペンＩＤが関連付けテーブルＴｒｅにあるか否かの判定を行う（ステップＳ２２）。同じペンＩＤが見つからなかったとき、ペンＩＤ／アカウント変化部１３１ｂは、受け取ったペンタッチ情報ＤｔｐのペンＩＤをゲストアカウントに置き換え、この置き換えにより得られる情報Ｄａｃをタッチイベントとしてアプリケーション実行部１３２に通知する（ステップＳ２４）。一方、同じペンＩＤが見つかったとき、ペンＩＤ／アカウント変化部１３１ｂは、受け取ったペンタッチ情報に含まれるペンＩＤを、このペンＩＤに関連付けられているアカウント情報に置き換え、この置き換えにより得られる情報Ｄａｃをタッチイベントとしてアプリケーション実行部１３２に通知する（ステップＳ２３）。
【００７９】
続いて、アプリケーション実行部１３２でアカウント情報に基づいて操作内容を制限する処理について説明する。
【００８０】
図９は、電子情報機器１００で使用するスタイラスペン１０ａ、１０ｂのペンＩＤに対応するアカウント情報に基づいて操作内容を制限する処理をフローチャートで示している。
【００８１】
アプリケーション実行部１３２では、ＯＳ実行部１３１からタッチイベントＤａｃの通知を受けると（ステップＳ３１）、操作制限部１３２ａは、タッチイベントＤａｃに含まれるアカウント情報と、タッチイベントに含まれるタッチ位置に応じた操作（例えばボタン操作）に予め設定されている権限情報とを比較する（ステップＳ３２）。
【００８２】
具体的には、アプリケーション実行部１３２では、タッチペンにより行われるそれぞれの操作に対して、その操作が意図する処理を実行する権限が設定されている。例えば、タッチ操作がボタン操作である場合、このボタン操作には、ボタン操作に対応する処理をどのアカウントに対しては実行し、どのアカウントに対しては実行しないといった属性情報が設定されている。
【００８３】
そこで、操作制限部１３２ａは、タッチイベントＤａｃに含まれるアカウント情報と、このタッチイベントＤａｃが意図するボタン操作に設定されているアカウント情報とを対比し、タッチイベントＤａｃに含まれるアカウント情報が、意図するボタン操作の権限以上のアカウント情報であるかを判定する（ステップＳ３３）。この判定の結果、タッチイベントＤａｃに含まれるアカウント情報が、ボタン操作の権限以上のアカウント情報である場合は、アプリケーション実行部１３２は、タッチイベントＤａｃのタッチ位置に対応するボタン操作に応じた処理を実行する（ステップＳ３４）。一方、タッチイベントＤａｃに含まれるアカウント情報が、ボタン操作の権限以上のアカウント情報でない場合は、アプリケーション実行部１３２は、タッチイベントＤａｃのタッチ位置に対応するボタン操作に応じた処理を実行しない（ステップＳ３５）。この場合、ＯＳ実行部１３１が、アプリケーション実行部１３２でのボタン操作の権限の判定結果に基づいて、操作権限がないためタッチ操作に対応する処理が実行できないことを示すメッセージを、表示システム１２０に表示させるようにしてもよい。
【００８４】
以下、本実施形態１の効果について説明する。
【００８５】
このように本実施形態１では、役割の異なる複数の操作者が１つのタッチパネルを操作するとき、操作者が使うタッチペンのペンＩＤをマルチユーザＯＳのアカウントに割り当てることにより、複数の操作者が使うそれぞれのタッチペンに、操作者のアカウントに応じた操作権限を与えるようにしたので、操作者の操作をＯＳのアカウントにより操作者の役割に応じた操作に制限することができ、これにより操作者がその役割に応じた機能を使用できる使用環境を簡単に実現することができる電子情報機器を得ることができる。
【００８６】
つまり、本実施形態１のような大型のタッチパネルシステムを備えた電子黒板などの電子情報機器では、複数人がそれぞれタッチペンを使って情報の入力を行う場合がある。この場合に、電子情報機器に搭載されているコンピュータのＯＳにより、タッチペンのペンＩＤと操作者のアカウントを関連付けることにより、タッチペン毎に異なる操作権限を付与すると、電子情報機器の使い勝手を変更することなく、操作者のペンタッチによる操作を制限することが可能となり、電子黒板などの電子情報機器をより使いやすいものとできる。
【００８７】
一方、従来のネットワークシステムには、複数の端末で画面を共有し、共有した画面に対して複数の端末から操作するネットワークシステムにおいて、端末毎に操作権限が異なるもの、例えばインターネット回線を用いたテレビ会議システムがある。
【００８８】
ところが、このように端末毎に操作権限に違いを持たせる方法は、本発明のように、電子黒板などの１つの電子情報機器においてＯＳがタッチペンごとに異なる権限を付与するというものではなく、端末と端末の操作権限との対応をサーバなどの主端末で管理する必要がある。つまり、操作権限の管理のための機構が別途必要となる。これに対して、本発明では、タッチペンのペンＩＤをコンピュータのユーザアカウントに関連付けることによりタッチペンの操作権限を管理するので、ペンタッチ情報に含まれるペンＩＤをユーザアカウントに差し替えるだけで、タッチペンによる操作をタッチペン毎に制限することが可能となる。
【００８９】
以下に、学校での電子黒板の使用シーンを具体例として挙げるが、会社や商談、公共の場などでも、同様のことが考えられる。なお、以下に示す先生や生徒のフォルダなどに対する操作はすべて、先生が使用するものとして認証されたスタイラスペン、また生徒が使用するものとして認証されたスタイラスペンを用いるものとする。
【００９０】
例えば、先生（管理者）は、先生（管理者）の権限でしか開けない特定フォルダや特定ファイルを開いて、確認したり、説明に使用したり、生徒の前で書き込んだりできるが、生徒（通常ユーザ）が上記特定フォルダや特定ファイルを開こうとすると、リードオンリーモードや、プレゼンテーションモードでしか開くことができないようにすることができる。
【００９１】
また、先生（管理者）は、先生（管理者）専用のツールを実行でき、先生（管理者）が開いたウィンドウで先生が管理者権限でロックをかけたら、生徒（通常ユーザ）が、先生（管理者）が開いたウィンドウで操作できないようにすることもできる。
【００９２】
さらに、この実施形態１では、タッチパネルコントローラ１１０ｂ側で、タッチ位置とペンのＩＤとが関連付けられるので、タッチパネルコントローラ１１０ｂからコンピュータ１３０に送るペンタッチ情報の中にペンＩＤを付加して送ることができ、コンピュータ側でタッチ位置とペンＩＤとを関連付けるドライバは不要である。
【００９３】
なお、上記実施形態１では、新たにスタイラスペンを使用する際には、このスタイラスペンを使用する操作者の認証を行うようにしているが、この認証は、操作者の手がスタイラスペンから一定期間離されていたら解除するようにしてもよい。
【００９４】
さらに、新たにスタイラスペンを使用する場合でも、スタイラスペンを使用する操作者の認証は行わずに、操作者の操作によりスタイラスペンのペンＩＤに直接アカウント情報を関連付けてもよい。
【００９５】
また、上記実施形態１では特に説明していないが、タッチパネルに対する指タッチは、タッチパネル上での接触面積の大きさからペンタッチとは区別して判定し、指タッチに対応するＩＤにはゲストユーザのアカウントに割り当ててもよい。
【００９６】
なお、上記実施形態１では、スタイラスペンの駆動電圧はタッチパネルコントローラから供給するようにしているが、スタイラスペンの駆動電圧はスタイラスペンに搭載したドライブ回路により発生させるようにし、スタイラスペンは、内蔵したドライブ回路により駆動する構成でもよい。
【００９７】
（実施形態２）
図１０は、本発明の実施形態２による電子情報機器を説明する図であり、図１０（ａ）は、電子情報機器の外観を示し、図１０（ｂ）は、電子情報機器の全体構成を示している。
【００９８】
この電子情報機器１００ａは、操作者による情報入力を行うためのタッチパネルシステム１１１と、情報を表示する表示システム１２０と、入力された情報に基づいて種々の演算処理を実行する情報処理装置１３０とを有する電子黒板である。タッチパネルシステム１１１および表示システム１２０は電子黒板本体１０１に含まれている。図１０（ａ）中、１０１ａは、第１、第２のスタイラスペン２０ａ、２０ｂを格納するためのペンホルダ、１０２は電子黒板本体１０１を支持する電子黒板脚部である。
【００９９】
このタッチパネルシステム１１１は、実施形態１のタッチパネルシステム１１０におけるスタイラスペン１０ａおよび１０ｂに代わるスタイラスペン２０ａおよび２０ｂを備えている。
【０１００】
図１１は、本発明の実施形態２による電子情報機器を説明する図であり、電子情報機器のタッチパネルシステムで用いる第１のスタイラスペンの構成（図１１（ａ））、および第２のスタイラスペンの構成（図１１（ｂ））を示している。
【０１０１】
このスタイラスペン２０ａおよび２０ｂは、それぞれのペンＩＤをタッチパネルコントローラ１１１ｂに通知する信号を、スタイラスペン内部で生成するように構成したものである。
【０１０２】
例えば、スタイラスペン２０ａは、スタイラスペン１０ａにおける信号端子１１ａおよび接続配線１１ｂに代えて、ドライブ回路２６、センス回路２１、入出力切替部２８、同期信号検出回路２２、およびタイミングジェネレータ２３を有している。また、スタイラスペン２０ｂも、スタイラスペン２０ａと同様に、ドライブ回路２６、センス回路２１、入出力切替部２８、同期信号検出回路２２、およびタイミングジェネレータ２３を有する。
【０１０３】
ここで、ドライブ回路２６は導電性ペン先２７に印加する駆動電圧を生成する。センス回路２１はタッチパネル１１０ａの駆動波形を検出する。入出力切替部２８は導電性ペン先２７をドライブ回路２６の出力に接続した状態と、導電性ペン先２７をセンス回路２１の入力に接続した状態とを切り換える。同期信号検出回路２２は、タッチパネル１１０ａの同期信号を検出する。タイミングジェネレータ２３は、同期信号検出回路２２からの同期情報に基づいてタッチパネルコントローラ１１１ｂの動作タイミングと一致するようにドライブ回路２６を制御する。
【０１０４】
また、スタイラスペン２０ａおよび２０ｂは、それぞれのペンＩＤを格納したペンＩＤ格納部２５ａおよび２５ｂを有し、それぞれのスタイラスペンにおける制御部２４は、各スタイラスペン２０ａおよび２０ｂのドライブ回路２６が出力する駆動電圧が、ペンＩＤに固有の駆動波形を持つようにドライブ回路２６を制御する。
【０１０５】
なお、このタッチパネルシステム１１１では、タッチパネルコントローラ１１１ｂは、実施形態１のタッチパネルコントローラ１１０ｂと同様に、スタイラスペンからの駆動波形に応じた容量分布に基づいて、タッチしているスタイラスペンのペンＩＤを識別可能に構成されている。従って、この実施形態２のタッチパネルコントローラ１１１ｂは、ドライバ１１５からスタイラスペンに駆動電圧を供給しない点のみ実施形態のタッチパネルコントローラ１１０ｂと異なっている。
【０１０６】
次に動作について説明する。
【０１０７】
スタイラスペンの駆動以外の動作は、実施形態１におけるものと同一であるので、以下スタイラスペンをドライブ回路２６により駆動する動作について説明する。第１および第２のスタイラスペン２０ａおよび２０ｂの動作は同一であるので、以下、第１のスタイラスペン２０ａの動作について説明する。
【０１０８】
図１２は、スタイラスペン２０ａの動作と、タッチパネル１１０ａの動作とを同期させる方法を説明するためのタイミング波形図である。
【０１０９】
スタイラスペン２０ａは、同期信号をセンスするセンスモードとスタイラスペンを駆動する駆動モードとを有している。センスモードでは、スタイラスペン２０ａに設けられた入出力切替部２８により導電性ペン先２７とセンス回路２１とが接続され、導電性ペン先２７とドライブ回路２６との接続が解除された状態となる。そして、センス回路２１によって、タッチパネル１１０ａの駆動波形をセンスする。同期信号検出回路２２は、内部に複数の同期信号候補Ｓ１〜Ｓｐ（ｐは２以上の整数）を有している。なお、図１２に示す同期信号候補Ｓｐは、同期信号候補Ｓ１が１周期程度遅れた信号を表している。
【０１１０】
センス回路２１は、タッチパネルコントローラ１１１ｂのドライバ１１５から送信される同期信号を導電性ペン先２７、入出力切替部２８を通して受け取り、同期信号検出回路２２に供給する。同期信号検出回路２２は、センス回路２１から供給された同期信号（（Ｍ＋１）番目の符号系列）と一致度が高い同期信号を、複数の同期信号候補の中から選択し、タッチパネルコントローラ１１１ｂとの通信の同期信号として採用する。スタイラスペン２０ａでは、タッチパネルコントローラ１１１ｂのドライバ１１５（図２参照）によってドライブされるタッチパネル１１０ａの駆動波形（タッチパネル同期信号Ｓ０）と一致度が高い同期信号候補Ｓ４またはＳ５が同期信号として採用される。スタイラスペン２０ａは、同期が取れるまでセンスモードが維持され、駆動されない。同期信号候補は、位相ずれ信号のみならず、基準クロックずれも考慮した同期ずれ信号も必要と考えられる。
【０１１１】
駆動モードでは、入出力切替部２８により導電性ペン先２７とドライブ回路２６とが接続され、導電性ペン先２７とセンス回路２１との接続が解除された状態になる。同期信号検出回路２２は、採用した同期信号と基準クロックずれ情報とをタイミングジェネレータ２３に供給する。タイミングジェネレータ２３は、同期信号と基準クロックずれ情報とに基づいて、タッチパネルコントローラ１１１ｂの動作タイミングと一致するようにドライブ回路２６を駆動する。ドライブ回路２６から出力された駆動電圧は、入出力切替部２８を介して、導電性ペン先２７を駆動する。
【０１１２】
このような構成の実施形態２の電子黒板（電子情報機器）１００ａでは、各スタイラスペン２０ａおよび２０ｂが出力する駆動電圧に応じてタッチパネルでの容量分布が変化する。従ってペン位置検出部１１３ｂは、スタイラスペン２０ａ、２０ｂとＭ本の垂直信号線ＶＬ１〜ＶＬＭのそれぞれとの間の静電容量の分布に基づいて、スタイラスペン２０ａ、２０ｂの水平信号線ＨＬ１に沿った位置（タッチパネル１１０ａ上での水平方向における位置）を検出する。また、ペン位置検出部１１３ｂは、スタイラスペン２０ａ、２０ｂとＭ本の水平信号線ＨＬ１〜ＨＬＭのそれぞれとの間の静電容量の分布に基づいて、スタイラスペン２０ａ、２０ｂの垂直信号線ＶＬ１に沿った位置（タッチパネル１１０ａ上での垂直方向における位置）を検出する。
【０１１３】
このようにペン位置検出部１１３ｂ（図２参照）は、スタイラスペン２０ａ、２０ｂの水平方向の位置（Ｘ座標）および垂直方向の位置（Ｙ座標）とともに、それぞれの位置のスタイラスペンに印加されている駆動電圧のパターン（（Ｍ＋１番目）、（Ｍ＋２番目）の符号系列）からスタイラスペンのペンＩＤを検出し、スタイラスペンの位置とペンＩＤとを関連付けてペンタッチ情報としてコンピュータ１３０に出力する。
【０１１４】
これにより本実施形態２においても、実施形態１と同様に、ＯＳ実行部１３１では、役割の異なる複数の操作者が１つのタッチパネルを操作するとき、操作者が使うタッチペンのペンＩＤをマルチユーザＯＳのアカウントに割り当て、複数の操作者が使うそれぞれのタッチペンに、操作者のアカウントに応じた操作権限を与える。このため、操作者の操作をＯＳのアカウントにより操作者の役割に応じた操作に制限することができ、これにより操作者がその役割に応じた機能を使用できる使用環境を簡単に実現することができる。
【０１１５】
また、この実施形態２では、このスタイラスペン２０ａおよび２０ｂは、それぞれのペンＩＤをタッチパネルコントローラ１１１ｂに通知する信号を、スタイラスペン内部で生成するように構成したので、タッチパネルコントローラ１１１ｂからスタイラスペン２０ａおよび２０ｂに駆動電圧を供給するための配線、つまり接続ケーブルを不要とし、スタイラスペンの操作性を向上させることができる。
【０１１６】
（実施形態３）
図１３は、本発明の実施形態３による電子情報機器を説明する図であり、図１３（ａ）は、電子情報機器の外観を示し、図１３（ｂ）は、電子情報機器の全体構成を示している。
【０１１７】
この電子情報機器１００ｂは、操作者による情報入力を行うためのタッチパネルシステム１１２と、情報を表示する表示システム１２０と、入力された情報に基づいて種々の演算処理を実行する情報処理装置１３０ｂとを有する電子黒板である。タッチパネルシステム１１２および表示システム１２０は電子黒板本体１０１に含まれている。図１３（ａ）中、１０１ａは、第１、第２のスタイラスペン３０ａ、３０ｂを格納するためのペンホルダ、１０２は電子黒板本体１０１を支持する電子黒板脚部である。
【０１１８】
このタッチパネルシステム１１２は、実施形態１のタッチパネルシステム１１０における静電容量方式のタッチパネル１１０ａおよびこれを駆動するタッチパネルコントローラ１１０ｂに代えて、赤外線カメラ方式のタッチパネル１１２ａおよびこれを駆動するタッチパネルコントローラ１１２ｂを備えている。さらに、タッチパネルシステム１１２は、実施形態１のタッチパネルシステム１１０におけるスタイラスペン１０ａおよび１０ｂに代えて、タッチパネル１１２ａに接触したことを超音波により送信するスタイラスペン３０ａおよび３０ｂを備えたものである。
【０１１９】
図１４は、本発明の実施形態３による電子情報機器を説明する図であり、電子情報機器のタッチパネルシステムで用いる第１のスタイラスペンの構成（図１４（ａ））、および第２のスタイラスペンの構成（図１４（ｂ））を示している。
【０１２０】
この第１のスタイラスペン３０ａは、このペンＩＤを格納したペンＩＤ格納部３１ａと、スタイラスペン３０ａとタッチパネル１１２とのタッチの有無を検出するタッチ有無検出部３２と、ペンＩＤとタッチの有無とを含む情報Ｓｕ１を超音波によりタッチパネルコントローラ１１２ｂに送信する超音波送信部３３とを有する。第２のスタイラスペン３０ｂは、第１のスタイラスペン３０ａと同様に、ペンＩＤを格納したペンＩＤ格納部３１ｂと、スタイラスペン３０ｂとタッチパネル１１２とのタッチの有無を検出するタッチ有無検出部３２と、ペンＩＤとタッチの有無とを含む情報Ｓｕ２を超音波によりタッチパネルコントローラ１１２ｂに送信する超音波送信部３３とを有する。
【０１２１】
ここで、赤外線カメラ方式のタッチパネル１１２では、例えば、タッチ操作領域の上辺の両端に、発光素子と受光素子とが一体となった赤外線イメージセンサが取り付けられており、他の３辺には再帰反射テープが貼り付けられている。再帰反射テープは光が入射角と同じ方向に戻ってくるという特徴を有する反射体である。
【０１２２】
タッチ位置を検出する基本原理は、発光された赤外線を遮った指やタッチペンなどを影として赤外線イメージセンサで検出し、三角測量方式によりタッチ位置のＸ−Ｙ座標を求めるというものである。従って、この実施形態３のタッチパネルコントローラ１１２ｂは、赤外線イメージセンサの検出出力に基づいてスタイラスペン３０ａおよび３０ｂがタッチパネル１１２にタッチした位置を示す位置情報を出力するように構成されている。
【０１２３】
また、コンピュータ１３０ｂは、実施形態１のＯＳ実行部１３１およびアプリケーション実行部１３２を含むＣＰＵ１３０ａに加えて、スタイラスペン３０ａおよび３０ｂから送信された超音波信号を受信する超音波受信部１３４と、超音波信号により送信されたタッチ有無情報およびペンＩＤと、タッチパネルコントローラ１１２ｂからのタッチ位置情報とを含むペンタッチ情報を生成するドライバ１３３とを有する。
【０１２４】
このような構成の実施形態３の電子情報機器１００ｂでは、スタイラスペン３０ａおよび３０ｂによりタッチパネル１１２ａをタッチしたとき、タッチパネルコントローラ１１２ｂからはスタイラスペンによるタッチ位置を示す位置情報がコンピュータ１３０ｂのドライバ１３３に出力される。また、スタイラスペン３０ａおよび３０ｂからは、タッチパネル１１２ａにタッチしたタイミングで、タッチ有りを示すタッチ有無信号およびペンＩＤが超音波によりコンピュータ１３０ｂに送信され、このタッチ有無信号およびペンＩＤが超音波受信部１３４により受信される。
【０１２５】
ドライバ１３３では、超音波送信部３３からのタッチ有無信号およびペンＩＤが超音波受信部１３４で受信されたタイミングで、タッチパネルコントローラから入力された位置情報を、ペンＩＤに関連付けて、ペンＩＤおよびタッチ位置情報を含むペンタッチ情報を作成し、ＣＰＵ１３０ａのＯＳ実行部１３１に出力する。
【０１２６】
これにより本実施形態３においても、実施形態１と同様に、ＯＳ実行部１３１では、役割の異なる複数の操作者が１つのタッチパネルを操作するとき、操作者が使うタッチペンのペンＩＤをマルチユーザＯＳのアカウントに割り当て、複数の操作者が使うそれぞれのタッチペンに、操作者のアカウントに応じた操作権限を与える。このため、操作者の操作をＯＳのアカウントにより操作者の役割に応じた操作に制限することができ、これにより操作者がその役割に応じた機能を使用できる使用環境を簡単に実現することができる。
【０１２７】
また、この実施形態３では、従来のタッチパネルシステムにおけるタッチパネルおよびタッチパネルコントローラの構成を変更することなく、タッチペンの構成の変更により、本発明のタッチペン毎の操作権限の管理を適用可能である。
【０１２８】
さらに、上記実施形態１から実施形態３では、電子情報機器として電子黒板を挙げて説明したが、本発明の適用可能な電子情報機器は、電子黒板に限定されるものではない。
【０１２９】
本発明は、小型のタッチパネルシステムを搭載した携帯電話やゲーム機などの電子情報機器であっても、複数の操作者が同時にタッチペンによる操作を行うものであれば、適用可能である。
【０１３０】
（実施形態４）
図１５は、本発明の実施形態４として、実施形態１から実施形態３のいずれかの電子黒板におけるタッチパネルシステムおよびコンピュータの構成を入力操作部に用いた、電子黒板以外の電子情報機器の概略構成例を示すブロック図である。
【０１３１】
図１５に示す本発明の実施形態４による電子情報機器９０は、実施形態１から実施形態３のいずれかの電子黒板におけるタッチパネルシステムおよびコンピュータを入力操作部９１ａに用いた、電子黒板以外の電子情報機器である。ここでは、タッチパネルシステムを構成するタッチパネルは、電子黒板などに用いられる大型のものであっても、携帯機器に用いられる小型のものであってもよい。
【０１３２】
この電子情報機器９０は、入力操作部９０ａから入力された入力情報を記録する記録メディアなどのメモリ部９２と、この入力情報を液晶表示画面などの表示画面上に表示する液晶表示装置などの表示部９３と、この入力情報を用いた通信処理を行う送受信装置などの通信部９４と、この入力情報を印刷（印字）して出力（プリントアウト）する画像出力部９５とのうちの少なくともいずれかを有している。ここで、表示部９３は、上記実施形態で説明した表示システムを含んでいる。また、入力操作部に用いたコンピュータは、上記実施形態で説明したコンピュータの機能に加えて、メモリ部９２、表示部９３、通信部９４、および画像出力部９５を制御する機能を有するものとする。ただし、メモリ部９２、表示部９３、通信部９４、および画像出力部９５の制御は、入力操作部に用いたコンピュータ以外のコンピュータで行ってもよい。
【０１３３】
また、この電子情報機器９０は、被写体の撮影を行う撮像部９１を有していてもよく、この場合は、記録メディアなどのメモリ部９２が、撮像部９１により得られた画像データを記録用に所定の信号処理した後にデータ記録し、上記表示部９３が、この画像データを表示用に所定の信号処理した後に液晶表示画面などの表示画面上に表示し、通信部９４が、この画像データを通信用に所定の信号処理をした後にこの画像データに対する通信処理を行い、画像出力部９５がこの画像データを印刷（印字）して出力（プリントアウト）するようにしてもよい。
【０１３４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許出願は、その内容自体が具体的に本明細書に記載されているのと同様にその内容が本明細書に対する参考として援用されるべきであることが理解される。
【産業上の利用可能性】
【０１３５】
本発明は、電子情報機器およびその操作権制限方法の分野において、役割の異なる複数の操作者が１つのタッチパネルを操作するとき、操作者が使うタッチペンのペン識別子により、操作者の操作を操作者の役割に応じた操作に制限することができ、これにより操作者がその役割に応じた機能を使用できる使用環境を簡単に実現することができる電子情報機器およびその操作権制限方法を実現することができる。
【符号の説明】
【０１３６】
１０ａ、２０ａ、３０ａ  第１のスタイラスペン
１０ｂ、２０ｂ、３０ｂ  第２のスタイラスペン
１１、１２  ペンＩＤ出力部
１１ａ、１２ａ  信号端子
１１ｂ、１２ｂ  接続配線
１１ｃ、１２ｃ  導電性ペン先部
２１  センス回路
２２  同期信号検出回路
２３  タイミングジェネレータ
２４  制御部
２５ａ、２５ｂ  ペンＩＤ格納部
２６  ドライブ回路
２７  導電性ペン先部
２８  入出力切替部
３１ａ、３２ａ  ペンＩＤ格納部
３２  タッチ有無検出部
３３  超音波送信部
９０  電子情報機器
９１  撮像部
９１ａ  入力操作部
９２  メモリ部
９３  表示部
９４  通信部
９５  画像出力部
１００、１００ａ、１００ｂ  電子情報機器
１０１  電子黒板本体
１０１ａ  ペンホルダ
１０２  電子黒板脚部
１１０、１１１、１１２  タッチパネルシステム
１１０ａ、１１２ａ  タッチパネル
１１０ｂ、１１１ｂ、１１２ｂ  タッチパネルコントローラ
１１３ａ  タッチ認識部
１１３ｂ  ペン位置検出部
１１４  マルチプレクサ
１１５  ドライバ
１１６  センスアンプ
１１７  タイミングジェネレータ
１１８  ＡＤ変換器
１１９  容量分布計算部
１２０  表示システム
１２０ａ  表示パネル
１２０ｂ  表示コントローラ
１３０、１３０ｂ  コンピュータ（情報処理装置）
１３０ａ  ＣＰＵ
１３１  ＯＳ実行部
１３１ａ  アカウント関連付部
１３１ｂ  ペンＩＤ／アカウント変換部
１３２  アプリケーション実行部
１３２ａ  操作制限部
Ｂｔ１  ログインボタン
Ｂｔ２  キャンセルボタン
Ｂｘ１  ＩＤ入力領域
Ｂｘ２  パスワード入力領域
Ｃ１１〜ＣＭＭ  静電容量
Ｄａｃ  タッチイベント
Ｄｒ  ペンタッチ領域
ＤＬｇ（ｇ：１〜Ｍ＋２）（ＤＬ１〜ＤＬ（Ｍ＋２））  ドライブライン
Ｄｐｔ  ペンタッチ情報
Ｄｓ１、Ｄｓ２  駆動電圧
ＨＬｆ（ｆ：１〜Ｍ）（ＨＬ１〜ＨＬＭ）  水平信号線
ＳＬｋ（ｋ：１〜Ｍ）（ＳＬ１〜ＳＬＭ）  センスライン
Ｔａｄ  アカウント情報
Ｔｐｄ  ペンＩＤ
Ｔｒｅ  変換テーブル情報
ＶＬｊ（ｊ：１〜Ｍ）（ＶＬ１〜ＶＬＭ）  垂直信号線
【図１】
2014230034.tif 000003
【図２】
2014230034.tif 000004
【図４】
2014230034.tif 000005
【図５】
2014230034.tif 000006
【図６】
2014230034.tif 000007
【図７】
2014230034.tif 000008
【図８】
2014230034.tif 000009
【図９】
2014230034.tif 000010
【図１０】
2014230034.tif 000011
【図１１】
2014230034.tif 000012
【図１３】
2014230034.tif 000013
【図１４】
2014230034.tif 000014
【図１５】
2014230034.tif 000015
【図１６】
2014230034.tif 000016
【図３】
2014230034.tif 000017
【図１２】
2014230034.tif 000018